(57)【要約】【課題】低年齢の子供が楽しく、しかも安全に遊ぶことができる一人乗り用の搖動遊具を提供する。【解決手段】垂設した支柱１の先端部にベース盤２を設け、このベース盤２上に乗り物ケース３０を搖動可能に取り付けた搖動遊具であって、前記ベース盤２の中央部に回転軸支柱３を垂設し、この回転軸支柱３に乗り物ケース取付用の搖動フレーム４を搖動可能に軸支し、更に、前記ベース盤２の回転軸支柱３の前後部には前記搖動フレーム４を下方側から弾発支持するスプリング７を配置した。ベース盤２に筒状のスプリングケース６が立設されて、この中にスプリング７が伸縮自在に収納されており、また、スプリング７の上端にはスプリング押え部材８が載置され、このスプリング押え部材８と搖動フレーム４とが可動アーム９で連結されている。【選択図】図１
0003210637.tif 000002
【実用新案登録請求の範囲】
【請求項１】
垂設した支柱の先端部にベース盤を設け、このベース盤上に乗り物ケースを搖動可能に取り付けた搖動遊具であって、
前記ベース盤の中央部に回転軸支柱を垂設し、この回転軸支柱に乗り物ケース取付用の搖動フレームを搖動可能に軸支し、
更に、前記ベース盤の回転軸支柱の前後部には前記搖動フレームを下方側から弾発支持するスプリングを配置したことを特徴とする搖動遊具。
【請求項２】
ベース盤に筒状のスプリングケースが立設されて、この中にスプリングが伸縮自在に収納されており、また、スプリングの上端にはスプリング押え部材が載置され、このスプリング押え部材と搖動フレームとが可動アームで連結されている請求項１に記載の搖動遊具。
【請求項３】
スプリングケースの下端は蓋で閉じられおり、この蓋を取り外してスプリングの交換が行えるように構成されている請求項１または２に記載の搖動遊具。
【請求項４】
スプリングケースの上方部が、回転軸支柱に取り付けた支持板により固定されている請求項１〜３のいずれかに記載の搖動遊具。
【請求項５】
搖動フレームに、各種の動物や乗り物の外観を呈する乗り物ケースが取り付けられている請求項１〜４のいずれかに記載の搖動遊具。
【考案の詳細な説明】
【技術分野】
【０００１】
本考案は、低年齢の子供が楽しく、しかも安全に遊ぶことができる一人乗り用の搖動遊具に関する。
【背景技術】
【０００２】
従来から、公園等には低年齢の子供を対象とした種々の遊具が設置されている。このうち、ゾウやキリン等の各種の動物や自動車や汽車等の各種の乗り物の外観を呈しており、それに跨って乗るようにした一人乗り用の遊具は人気があり多数設置されている。
【０００３】
また最近では、前記の遊具に前後あるいは左右に搖動できる機能をプラスして、更に楽しめるようにしたものが開発され主流になってきた（例えば、特許文献１〜特許文献３を参照）。これら特許文献１〜特許文献３に示される搖動遊具では、搖動機構としてカム式のリンク機構が用いられている。即ち、垂設した支柱に対しリンク機構を介して着座部を取り付け、この着座部をリンク機構の回動によって前後（あるいは左右）に搖動できるようにした構造である。このように、搖動遊具の搖動機構としては、リンク機構を用いたものが一般的であった。
【０００４】
しかしながら、リンク機構は複雑かつ高価であり、これを用いた搖動遊具を多数設置することは財政的に難しいという問題があった。また、搖動遊具は野外に設置され雨風にさらされた条件下で使用されるため、定期的なメンテナンス作業が不可欠であるが、複雑なリンク機構の場合はメンテナンス作業に長時間を要するという問題があった。更には、一部に破損等が生じた場合もリンク機構全体を交換する必要があって修繕費用が高くなるという問題もあった。
【先行技術文献】
【特許文献】
【０００５】
【特許文献１】特開２０１０−２２３９４号公報
【特許文献２】特開２０１１−１５７６５号公報
【特許文献３】実用新案登録第３１８７９９１号公報
【考案の概要】
【考案が解決しようとする課題】
【０００６】
本考案は上記のような従来の問題点を解決して、低年齢の子供が楽しく、しかも安全に遊ぶことができ、またシンプルな構造で価格も安くメンテナンス作業も短時間で安価に行うことができる搖動遊具を提供することを目的とするものである。
【課題を解決するための手段】
【０００７】
上記課題を解決するためになされた請求項１に係る本考案は、垂設した支柱の先端部にベース盤を設け、このベース盤上に乗り物ケースを搖動可能に取り付けた搖動遊具であって、
前記ベース盤の中央部に回転軸支柱を垂設し、この回転軸支柱に乗り物ケース取付用の搖動フレームを搖動可能に軸支し、
更に、前記ベース盤の回転軸支柱の前後部には前記搖動フレームを下方側から弾発支持するスプリングを配置したことを特徴とする搖動遊具である。
【０００８】
請求項２に係る本考案は、ベース盤に筒状のスプリングケースが立設されて、この中にスプリングが伸縮自在に収納されており、また、スプリングの上端にはスプリング押え部材が載置され、このスプリング押え部材と搖動フレームとが可動アームで連結されていることを特徴とする搖動遊具である。
【０００９】
請求項３に係る本考案は、スプリングケースの下端は蓋で閉じられおり、この蓋を取り外してスプリングの交換が行えるように構成されていることを特徴とする搖動遊具である。
【００１０】
請求項４に係る本考案は、スプリングケースの上方部が、回転軸支柱に取り付けた支持板により固定されていることを特徴とする搖動遊具である。
【００１１】
請求項５に係る本考案は、搖動フレームに、各種の動物や乗り物の外観を呈する乗り物ケースが取り付けられていることを特徴とする搖動遊具である。
【考案の効果】
【００１２】
請求項１に係る本考案では、ベース盤の中央部に回転軸支柱を垂設し、この回転軸支柱に乗り物ケース取付用の搖動フレームを搖動可能に軸支し、更に、前記ベース盤の回転軸支柱の前後部には前記搖動フレームを下方側から弾発支持するスプリングを配置したものとしたので、従来のようなリンク機構に換えてスプリングを利用した搖動機構とすることができ簡単な構造で安価な搖動遊具とすることができる。また、メンテナンス作業も簡単に行うことができる。
【００１３】
請求項２に係る本考案では、ベース盤に筒状のスプリングケースが立設されて、この中にスプリングが伸縮自在に収納されており、また、スプリングの上端にはスプリング押え部材が載置され、このスプリング押え部材と搖動フレームとが可動アームで連結されているものとしたので、スプリングを利用した簡単な構造の搖動機構とすることができ、また安価な遊具を提供することができる。
【００１４】
請求項３に係る本考案では、スプリングケースの下端は蓋で閉じられおり、この蓋を取り外してスプリングの交換が行えるように構成されているものとしたので、劣化が生じやすいスプリングのメンテナンス作業を簡単に行うことができ、また部品交換等の費用も安価なものにできる。
【００１５】
請求項４に係る本考案では、スプリングケースの上方部が、回転軸支柱に取り付けた支持板により固定されているものとしたので、スプリングケースを下端と上方部の二か所でしっかりと固定でき安全な遊具を提供することができる。
【００１６】
請求項５に係る本考案では、搖動フレームに、各種の動物や乗り物の外観を呈する乗り物ケースが取り付けられているものとしたので、ゾウ・キリン・ライオン・パンダ等の各種の動物や自動車・汽車・船等の各種の乗り物等、子供の興味をひく遊具を提供することができる。
【図面の簡単な説明】
【００１７】
【図１】本考案の実施の形態を示す切欠正面図である。
【図２】本考案の実施の形態を示す要部の平面図である。
【図３】図２のＡ−Ａ断面図である。
【図４】図２のＢ−Ｂ断面図である。
【図５】後方向へ搖動した状態を示す説明図である。
【図６】前方向へ搖動した状態を示す説明図である。
【考案を実施するための形態】
【００１８】
以下に、図面を参照しつつ本考案の好ましい実施の形態を示す。
図１は本考案の実施の形態を示す切欠正面図である。また、図２は要部の平面図、図３は図２のＡ−Ａ断面図、図４は図２のＢ−Ｂ断面図である。
図において、１は公園等の地面に垂設した鉄製の支柱、２は支柱１の先端部に設けられた鉄製のベース盤である。また、このベース盤２上には乗り物ケース３０が搖動可能に取り付けられて一人乗り用の搖動遊具を構成している。なお、図示のものでは、この乗り物ケース３０にゾウ・キリン・ライオン・パンダ等の各種の動物や自動車・汽車・船等の各種の乗り物等をデザイン化した乗り台３１が装着されているが、両者を一体化したものとしてもよい。
【００１９】
前記ベース盤２の中央部には断面四角枠状の回転軸支柱３が垂設されており、この回転軸支柱３の上端部において乗り物ケース取付用の搖動フレーム４が軸３ａで軸支されて前端部および後端部が搖動可能な構造となっている。なお、ここでいう前端部および後端部とは、図示のように、動物の乗り物ケース３０を取り付けた場合の顔がある方を前方向、尻尾がある方を後方向とした場合の前端部および後端部という意味であるが、これに限定されず、左右端部が搖動可能なものであってもよい。
【００２０】
前記搖動フレーム４は、図２、図３に示されるように、回転軸支柱３を挟むように左右一対に設けられており、回転軸支柱３を貫通する軸３ａで軸支されることにより、この軸３ａを中心に回動して前端部および後端部が搖動可能な構造となっている。また、前記搖動フレーム４には、回転軸支柱３等隠すように、ボックス状の乗り物ケース３０が取り付けられている。
【００２１】
更に、前記ベース盤２の回転軸支柱３の前後部には、前記搖動フレーム４を下方側から弾発支持するスプリングが配置されている。
従来、搖動遊具の搖動機構としてはリンク機構を用いたものが一般的であったが、この場合は、高価であるという問題や、メンテナンス作業に長時間を要するという問題や、修繕費用が高くなるという問題があった。そこで、本考案者はこれらの問題を解決すべくスプリングを利用した新たな搖動機構を開発し、これを組み込んだ新たな搖動遊具を提供するものである。
【００２２】
本考案のスプリング式の搖動機構５は、図１に示されるように、ベース盤２に回転軸支柱３を挟んで前後部に２本の筒状のスプリングケース６が立設され、このスプリングケース６の中に前記搖動フレーム４を下方側から弾発支持するスプリング７が伸縮自在に収納されたものからなる。
また、図４に示されるように、前記スプリング７の上端にはスプリング押え部材８が載置され、このスプリング押え部材８と搖動フレーム４とが可動アーム９で連結された構造となっている。なお、前記可動アーム９の上端はリング部材９ｂを介し軸９ａに対してフリーに軸支されており、搖動フレーム４の搖動に対応して軸９ａが上下動すると、可動アーム９が上下動してスプリング７が伸縮し前記搖動フレーム４を下方側から弾発支持する構造となっている。
【００２３】
また、前記スプリングケース６の下端には蓋６ａが装着されており、スプリングケース６の下端部が開閉自在な構造となっている。これにより、前記蓋６ａを取り外して交換頻度の高いスプリング７の交換をすぐに行えるようになっており、メンテナンス作業を短時間で簡単に行える構造となっている。
【００２４】
前記スプリングケース６の下方部はベース盤２に固定されているとともに、上方部は回転軸支柱３に取り付けた支持板１０により固定されている。このように、スプリングケース６は上下２ヶ所で支持されて強固に立設されるので、スプリング７の安定した弾発力を確保できることとなる。
【００２５】
前記搖動フレーム４には、各種の動物や乗り物の外観を呈する乗り物ケース３０が取り付けられて一人乗り用の搖動遊具を構成している。図示のものでは、この乗り物ケース３０にゾウ・キリン・ライオン・パンダ等の各種の動物や自動車・汽車・船等の各種の乗り物等をデザイン化した乗り台３１が装着されており、乗り台３１の交換も容易に行える構造となっている。勿論、乗り物ケース３０と乗り台３１を一体化したものとすることもできる。
【００２６】
以上のように構成した本考案では、通常時は前後２つのスプリング７、７が均等に弾発して搖動フレーム４を水平な状態に保っている（図１を参照）。
一方、子供が乗って遊ぶときに、図５に示すように、後方側へ荷重をかけた場合は、搖動フレーム４は軸３ａを中心にして後方側が下降し前方側が上昇するように回動するが、後方側のスプリング７が弾発支持しているので、下降速度はゆっくりでソフトな感じとなり、安全に遊ぶことができる。
【００２７】
また、図６に示すように、前方側へ荷重をかけた場合は、搖動フレーム４は軸３ａを中心にして後方側が上昇し前方側が下降するように回動するが、この場合も、前方側のスプリング７が弾発支持しているので、下降速度はゆっくりでソフトな感じとなり、安全に遊ぶことができる。更に、乗ったままの状態で前後に揺らした場合も、前方側および後方側のスプリング７、７が各々しっかりと弾発支持するので、搖動速度は常にゆっくりでソフトな感じとなり、安全に遊ぶことができる。
【００２８】
以上の説明からも明らかなように、本考案はベース盤の中央部に回転軸支柱を垂設し、この回転軸支柱に乗り物ケース取付用の搖動フレームを搖動可能に軸支し、更に、前記ベース盤の回転軸支柱の前後部には前記搖動フレームを下方側から弾発支持するスプリングを配置したものとしたので、従来のようにリンク機構を用いずにスプリングを利用した搖動機構とすることができ簡単な構造の搖動遊具を提供することができる。その他にも、低価格であるため財政的にも有利である点や、メンテナンス作業も短時間で行うことができる点や、スプリングが破損してもその部品のみを交換でき修繕費用が安価になる点などの種々の効果を奏することができる。
【符号の説明】
【００２９】
１  支柱
２  ベース盤
３  回転軸支柱
３ａ  軸
４  搖動フレーム
５  搖動機構
６  スプリングケース
６ａ  蓋
７  スプリング
８  スプリング押え部材
９  可動アーム
９ａ  軸
９ｂ  リング部材
１０  支持板
３０  乗り物ケース
３１  乗り台
【図１】
0003210637.tif 000003
【図２】
0003210637.tif 000004
【図３】
0003210637.tif 000005
【図４】
0003210637.tif 000006
【図５】
0003210637.tif 000007
【図６】
0003210637.tif 000008